(57)【要約】【課題】コンクリート打継ぎ部において手間をかけずにコンクリート堰止め板を設け、コンクリート固化後に簡単に堰止め板を除去できるようにすること。【解決手段】コンクリートの打ち継ぎのためコンクリート型枠に設置するコンクリート堰止め装置５を、柱型枠１内に打設されるコンクリートを堰止めるため複数枚の板部材５１Ａ〜５１Ｅから成る堰止め板５１と、堰止め板５１を梁型枠２内に側面からセットできるよう堰止め板５１を挿着するためのスリット５７、５８が形成されており梁型枠２に側型枠を兼ねるように設けられるガイド部材５２とから構成した。【選択図】　　　　図１
2004137693.tif 000002
【特許請求の範囲】
【請求項１】
コンクリートの打ち継ぎのためコンクリート型枠に設置するコンクリート堰止め装置であって、
コンクリート型枠内に打設されたコンクリートを堰止めるため複数枚の板部材から成る堰止め板と、
前記堰止め板を前記コンクリート型枠内に側面からセットできるよう前記堰止め板を挿着するためのスリットが形成されており前記コンクリート型枠に側型枠兼ねるように設けられるガイド部材と
を備えて成ることを特徴とするコンクリート堰止め装置。
【発明の詳細な説明】
【０００１】
【特許文献１】
特開昭６２−２９１３６７号公報
【特許文献２】
特開平４−８０４６７号公報
【特許文献３】
特開平１０−２６６５６８号公報
【０００２】
【発明の属する技術分野】
本発明は、コンクリート堰止め装置に関する。
【０００３】
【従来の技術】
最近、鉄筋コンクリート造で高層階の建物を構築する場合が多くなった。その場合その柱が負担する荷重は大きくなり、その為柱には高強度コンクリートを採用されることが多くなった。しかし高強度コンクリートは価格が高いため、高強度性が必要とされる柱のみに高強度コンクリートを打設し他の梁やスラブ等には普通コンクリートを打設することがコストの面から望まれる。
【０００４】
ところでコンクリートを打設して柱を構築する場合、一般に、当該階の床スラブ上に柱、梁、スラブ用の各型枠を組み、柱型枠内、梁型枠内、及びスラブ型枠上に一度にコンクリートを打設し、梁、スラブも柱と同時に一体的に構築している。したがって、先ず柱のみに高強度コンクリートを打設しようとする場合には、柱型枠に組み付けられている梁型枠内に高強度コンクリートが流れ込まないよう、柱型枠近傍にコンクリート打継ぎ型枠を設けた上で柱型枠内へのコンクリート打設を行っている。
【０００５】
特許文献１には、コンクリート打継ぎ型枠材料としてラス網等のネット状鋼製打止め材を用い、このネット状鋼製打止め材を型枠内の垂直打継ぎ箇所に挿入して埋め殺すようにしたコンクリート構造物の垂直面打継ぎ工法が提案されている。また、コンクリート打継ぎ部における強度をより一層確保するため、柱、梁、床用の各型枠を設置し各鉄筋を配筋終了した後、梁型枠の一部を解体してネット状鋼製打止め材を鋼材等の力骨で補強して梁型枠内に張設し、先行打設したコンクリートの固結後にネット状鋼製打止め材を撤去し、しかる後コンクリートの後打込みを行う工法も採用されている。エキスパンドメタルもラス網と全く同様にして用いられている。
【０００６】
その他、最近では多数のエアーチューブ等の袋体を梁鉄筋の各間隙にすき間なく差し込むようにしたコンクリート打継ぎ型枠も用いられてきている（特許文献２）。
【０００７】
また、特許文献３には、下部が櫛の歯状に形成されているプレートを梁型枠内に鉄筋を避けて設置するようにした柱と梁、スラブとのコンクリート打ち分け治具及び方法が提案されている。
【０００８】
【発明が解決しようとする課題】
しかしながら、ラス網やエキスパンドメタル等のネット状鋼製打止め材を用いたコンクリート打継ぎ型枠を用いる場合には、配筋が行われている梁型枠内の狭隘な場所にネット状鋼製打止め材を張設するため、既に組み立ての終了している梁型枠の一部を解体する必要が生じる場合が多く、コンクリート打継ぎ型枠を取り付けるのに時間がかかり工期を延長させる一因となってしまうという問題点を有している。また、ネット状鋼製打止め材を撤去する場合には、網目にコンクリートが廻り込んでしまうため、コンクリート固結後にネット状鋼製打止め材を撤去するのに大変な手間がかかり施工コストが大幅に上昇してしまうという問題点も有している。
【０００９】
打継ぎ型枠材としてエアーチューブ等の袋体を用いる場合には、コンクリートが完全に固結すると袋体を撤去できなくなるため、コンクリートが完全に固結する前に袋体を撤去しており、このためコンクリートの性能に悪影響を及ぼしてしまう虞が多分に生じているという問題点を有している。
【００１０】
また、特許文献３に提案されている治具及び方法にあっては、プレートが梁の断面形状に相応した形状に形成されている上、プレート下部が櫛の歯状に形成されているため、梁の形状及び梁内に配筋される鉄筋の位置と本数とに応じて各プレートを製作しなければならず、手間がかかるという問題点を有している。
【００１１】
本発明の目的は、従来技術における上述の問題点を解決することができるコンクリート堰止め装置を提供することにある。
【００１２】
【課題を解決するための手段】
上記課題を解決するため、本発明によれば、コンクリートの打ち継ぎのためコンクリート型枠に設置するコンクリート堰止め装置であって、コンクリート型枠内に打設されたコンクリートを堰止めるため複数枚の板部材から成る堰止め板と、前記堰止め板を前記コンクリート型枠内に側面からセットできるよう前記堰止め板を挿着するためのスリットが形成されており前記コンクリート型枠に側型枠兼ねるように設けられるガイド部材とを備えて成ることを特徴とするコンクリート堰止め装置が提案される。
【００１３】
【発明の実施の形態】
以下、図面を参照して本発明の実施の形態の一例につき詳細に説明する。
【００１４】
図１は、本発明の実施の形態の一例を示す側面図である。図１に示す実施の形態では、ビル等のコンクリート建物を構築するときに、柱には高強度コンクリートを用い梁には普通コンクリートを用いるため、柱と梁とでコンクリートを分けて打設できるよう、本発明によるコンクリート堰止め装置を梁型枠に設けた場合の例が示されている。
【００１５】
図１には、柱型枠１と梁型枠２との接続部分が示されている。柱型枠１はコンクリートパネル（コンパネ）等から成る型枠材を組み立てて成っており、柱型枠１には梁型枠２が取り付けられている。梁型枠２は、コンパネ等の型枠材を組み立てて成る梁型枠本体３を備え、梁型枠本体３の柱型枠１側端部には調整型枠４及びコンクリート堰止め装置５が設けられている。
【００１６】
梁型枠本体３は、平行に対向している２枚の側板３１と底板３２とを、桟木、根太受け等の押さえ材３３を用いて溝形状に形成されている。図１では、側板３１は１枚だけしか見えていないが、図３には２枚の側板３１が見えている。２枚の側板３１の相互間隔を単管３４、締付け金物３５を用いて一定に保持させており、底板３２は床板支持単管３６によって支持されている。
【００１７】
底板３２と床板支持単管３６との各一端は柱型枠１まで延びており、梁型枠本体３の柱型枠１側の端部には、鋼製型枠材を側板として備えた調整型枠４が底板３２上に設けられている。調整型枠４は、コンクリート堰止め装置５に堰止め板５１を設ける作業を行うための作業スペースを確保するために設けられている。調整型枠４は、一対の側板４１（図３参照）を平行に対向させるようにして底板３２上の両縁部にそれぞれボルト固定し、両側板４１の相互間隔を締付け金物４２を用いて一定に保持させることにより形成されている。本実施の形態では、強度を考慮して調整型枠４の側板として鋼製型枠材を用いているが、調整型枠４の側板としてコンパネ等の木製型枠材を用いてもよい。
【００１８】
柱を高強度コンクリートで構築し、梁を普通コンクリートで構築するため、底板３２上には、調整型枠４に隣接してコンクリート堰止め装置５が形成されている。コンクリート堰止め装置５は、柱型枠１内に高強度コンクリートを打設したとき、柱型枠１内に打設された柱用コンクリートを梁型枠本体３の手前で堰き止め、高強度コンクリートが梁型枠本体３内の調整型枠４内までしか打設されないようにし、次いで柱用の高強度コンクリートが固結した後に梁型枠本体３内に梁用コンクリートを打設して柱用の高強度コンクリートに梁用の普通コンクリートを打ち継ぐために設けられている。したがって、この実施の形態の場合、高強度コンクリートは調整型枠４内にまで流入して柱に接する梁の一端部をも形成し、普通コンクリートによって梁の残りの部分が形成される。
【００１９】
以上のように構成されている梁型枠２内には、梁を補強すると同時に梁を柱に接合するための複数の鉄筋Ｚが所要の本数配筋されている。また、図１では梁１本分の梁型枠２のみ示されているが、実際には梁型枠２は当該階において構築される梁の数組み立てられており、コンパネから成るスラブ型枠１０が隣り合う梁型枠２上に架け渡すように設置されている。
【００２０】
図２及び図３を参照してコンクリート堰止め装置５について説明する。図２は図１に示した梁型枠本体３をＡ−Ａ線で断面して見たコンクリート堰止め装置５の正面図、図３は図１に示す梁型枠２の一端部付近の平面図である。なお、図３ではスラブ型枠１０が取り除かれた状態で示されている。
【００２１】
コンクリート堰止め装置５は、打設コンクリートを堰止めるための複数枚の板部材５１Ａ〜５１Ｅから成る堰止め板５１と、堰止め板５１を梁型枠２内に側面からセットできるよう梁型枠２に側型枠を兼ねるように設けられているガイド部材５２とを備えている。
【００２２】
ガイド部材５２は、それぞれ溝形鋼から成る第１及び第２ガイド５３、５４を備え、第１ガイド５３と第２ガイド５４とは底板３２の一側縁部に堰止め板５１を通すような間隔をあけて設けられており、これにより堰止め板５１を挿着するためのスリット５７が形成されている。ガイド部材５２は、さらに、第１及び第２ガイド５３、５４とそれぞれ対向して底板３２の他側縁部に取り付けられている第３及び第４ガイド５５、５６を有しており、第３及び第４ガイド５５、５６により堰止め板５１を挿着するための別のスリット５８がスリット５７に整列して形成されている。
【００２３】
第１〜第４ガイド５３〜５６は梁型枠２の側部の一部を兼ねて用いられるよう所要の長さ寸法に加工されている。第１〜第４ガイド５３〜５６の下端には鋼板部材等から成る固定板５３Ａ〜５６Ａがそれぞれ溶接等の方法により取り付けられており、固定板５３Ａ〜５６Ａを底板３２上にボルト止めすることにより各ガイド５３〜５６がそれぞれ底板３２上に固定されている。
【００２４】
コンクリート堰止め装置５は以上のように構成されているため、ガイド部材５２に形成されている両スリット５７、５８に堰止め板５１を挿着することによって梁型枠２内を梁型枠本体３側と調整型枠４側とに略分割した状態とすることができる。
【００２５】
本実施の形態では、堰止め板５１は分割された５枚の板部材５１Ａ〜５１Ｅから成っているため、板部材５１Ａ〜５１Ｅを、梁型枠２内に配筋されている複数の鉄筋Ｚを避けてガイド部材５２のスリット５７、５８に横から差し込んで設けることができる。これらの板部材５１Ａ〜５１Ｅの寸法及び枚数は、鉄筋Ｚの本数と位置とに応じて定められている。
【００２６】
柱用の高強度コンクリートを打設したときに堰止め板５１が梁型枠本体３の方向に打設圧を受けて破損しないようにするため、堰止め板５１の梁型枠本体３側には角柱状部材から成る７本の反力柱５９〜６５が堰止め板５１に接するようにして設けられている。ここでは、各反力柱５９〜６５は鉄筋Ｚを避けて上方から落とし込んで設けられている。
【００２７】
各反力柱５９〜６５の断面は、その各１辺が第１ガイド５３及び第３ガイド５５の幅寸法より小さい寸法となっており、また、スリットは、コンクリート打設時に堰止め板５１を支えるのに耐え得る強度を有している。
【００２８】
本実施の形態では、反力柱５９〜６５は７本設けられているが、梁型枠２内に配筋されている鉄筋Ｚの本数と位置とを考慮して反力柱を適宜に設けることができる。さらに、本実施の形態では、角柱形状の反力柱５９〜６５を用いたが、例えば、円柱状の反力柱を用いてもよい。
【００２９】
第１ガイド５３と第３ガイド５５との間にはＬ字鋼から成る反力柱ストッパー６６が設けられている。各第１ガイド５３、５４の内側上部には、反力柱ストッパー６６を両端部において支持するための断面Ｔ字形の反力柱ストッパー受け６７、６８がそれぞれ溶接により取り付けられており、反力柱ストッパー受け６７、６８と反力柱ストッパー６６の両端部との対向部分にはそれぞれ整列するように図示しない孔が形成されている。そして、反力柱ストッパー受け６７、６８上に反力柱ストッパー６６を載置した状態で、それぞれの孔に固定ピン６９、７０を差し込むことにより反力柱ストッパー６６が反力柱ストッパー受け６７、６８上に取り付けられている。この結果、反力柱５９〜６５の各上部を反力柱ストッパー６６により支えることができ、これにより反力柱５９〜６５がコンクリート打設圧等により梁型枠本体３側に倒るのを防止できる構成となっている。
【００３０】
本実施の形態では、反力柱ストッパー６６としてＬ形鋼を用いたが、コンクリート打設時に各反力柱５９〜６５を支える強度を有し、また、反力柱ストッパー受け６７、６８上に適宜の方法で取り付けることができるものであれば、溝形鋼や板鋼、その他適宜の形状の所要の強度を有する部材を反力柱ストッパー６６として用いてもよい。
【００３１】
図４は図２のＢ−Ｂ線断面図であり、図４を参照すると、反力柱５９〜６５の各下端部は、Ｌ形鋼から成りその長手方向を略水平にして底板３２上に設けられたずれ止め材７１に係止される構成となっており、これによりコンクリート打設時に反力柱５９〜６５の各下端部が梁型枠本体３側にずれないようになっている。
【００３２】
本実施の形態では、ずれ止め材７１としてＬ形鋼を用いたが、底板３２上に設けられた状態で、コンクリート打設時に反力柱５９〜６５の各下端部を係止することができる強度と立ち上がり形状部とを有するものであれば、溝形鋼等、その他の適宜の形状の部材を用いてもよい。
【００３３】
調整型枠４内に打設される高強度コンクリートを少なくすることにより高強度コンクリートにより構築される梁端部の長さを小さくするため、梁型枠２の長手方向に沿う寸法が小さい調整型枠４を用いてコンクリート堰止め装置５を柱型枠１に作業に支障を生じさせない範囲で可能な限り接近させて設けるのが望ましい。
【００３４】
コンクリート堰止め装置５を用い、柱型枠１内に高強度コンクリートを打設して高強度コンクリートが固結した後、梁型枠本体３内に普通コンクリートを打ち継ぎ打設する場合の施工手順について説明する。
【００３５】
最初に梁型枠２を作業所内の組み立てヤード等で予め組み立てておく。このとき梁型枠２内には、梁型枠本体３、調整型枠４、及びコンクリート堰止め装置５のうちのガイド部材５２、ずれ止め材６９を組み込んでおく。ガイド部材５２には反力柱ストッパー受け６７、６８を取り付けておく。梁の鉄筋Ｚも作業所内の組み立てヤード等で予め先組みしておく。組み立てておいた梁型枠２をクレーン等の揚重機で吊り込み、組み立て完了後の柱型枠１に組み付け、梁型枠２をサポート具を用いて支持させる。
【００３６】
梁型枠２の設置完了後、スラブ型枠１０を設置し、先組みしておいた鉄筋Ｚを揚重機で吊り込み、梁型枠２内の所定の位置に配設する。鉄筋Ｚの配設後、スラブ型枠１０上に床鉄筋を配筋する。
【００３７】
次に、コンクリート堰止め装置５のスリット５７、５８のいずれか一方から他方のスリットに向けて堰止め板５１の板部材５１Ａ〜５１Ｅをそれぞれ横方向に差し込み、鉄筋Ｚを避けて両スリット５７、５８間に堰止め板５１を挿着する。
【００３８】
鉄筋Ｚが所定の位置とずれた位置に設けられている場合には、板部材５１Ａ〜５１Ｅを施工現場において加工して高さ寸法を変形させて調整し、配設されている鉄筋Ｚの位置に合わせて設置できるようにする。堰止め板５１は、加工等を行うことができるようにするため、コンパネ等の木材料から成るものであるのが望ましい。調整型枠４が設けられているため、コンクリート堰止め装置５に堰止め板５１を設ける作業を行うための作業スペースが確保されている。
【００３９】
堰止め板５１の梁型枠本体３側に反力柱５９〜６５を上方から鉄筋Ｚを避けて落とし込み、しかる後反力柱ストッパー６６を鉄筋Ｚの間をくぐらせて反力柱ストッパー受け６７、６８上に載置する。固定ピン６９、７０を各孔に挿入して反力柱ストッパー６６を反力柱ストッパー受け６７、６８上に取り付ける。
【００４０】
反力柱ストッパー６６を取り付けて各反力柱５９〜６５が倒れないようにした後、柱型枠１、調整型枠４内に高強度コンクリートを打設する。
【００４１】
高強度コンクリートの固結後、ガイド部材５２を底板３２から取り外し、これにより生じた空間を利用して高強度コンクリートに密着している堰止め板５１を高強度コンクリートから引き剥がし、木片等が残らないように取り除く。
【００４２】
堰止め板５１の除去終了後、ガイド部材５２を再び梁型枠２に組み付け、梁型枠本体３内、スラブ型枠１０上に梁、スラブ用の普通コンクリートを打設し、梁の端部を形成している高強度コンクリートに梁、スラブ用コンクリートを打ち継ぎ、当該階の柱、梁、スラブの構築が完了する。
【００４３】
本実施の形態では、柱と梁の一部を高強度コンクリートで構築し、梁の残りの部分を普通コンクリートで構築して高強度コンクリートに普通コンクリートを打ち継ぐためにコンクリート堰止め装置５を用いたが、一種のコンクリートを部位によって分割して打設し打ち継ぐときにもコンクリート堰止め装置５を同様にして用いることができるのは勿論である。
【００４４】
【発明の効果】
本発明によれば、上述の如く、コンクリート堰止め装置をコンクリート型枠内に予め組み込んでおき、コンクリートを堰き止めるための堰止め板を後工程で側面からセットするようにしたため、配筋が行われている梁型枠内の狭隘な場所で堰止め板をセットすることを行わずに済むので簡単にコンクリート堰止め装置を設けることができ、時間がかからず施工コストを削減することができる。
【００４５】
また、堰止め板として木材料を用いたため、固結後にコンクリートから堰止め板を容易に取り除くことができ、堰止め板の除去に手間がかからないという効果を得ることができる。さらに、コンクリートが完全に固結した後に堰止め板を除去することができるため、コンクリートの性能に悪影響を及ぼす虞を大幅に改善することができる。
【図面の簡単な説明】
【図１】本発明の実施の形態の一例を示す側面図。
【図２】図１に示した梁型枠本体をＡ−Ａ線で断面して見たコンクリート堰止め装置の正面図。
【図３】図１に示した梁型枠の一端部付近の平面図。
【図４】図２のＢ−Ｂ線断面図。
【符号の説明】
１　柱型枠
２　梁型枠
３　梁型枠本体
４　調整型枠
５　打継ぎ装置
３２　底板
５１　堰止め板
５２　ガイド部材
５３　第１ガイド
５４　第２ガイド
５５　第３ガイド
５６　第４ガイド
５７、５８　スリット
５９〜６５　反力柱
６６　反力柱ストッパー
６７、６８　反力柱ストッパー受け
７１　ずれ止め材
【図１】
2004137693.tif 000003
【図２】
2004137693.tif 000004
【図３】
2004137693.tif 000005
【図４】
2004137693.tif 000006